(57)【要約】【課題】網シート状の補強材を用いた補強土構造体において、土留壁と盛土補強材または盛土補強材同士の接続を容易にかつ低コストでせしめる接続装置を提供することを目的とする。【解決手段】底部が土圧が作用する方向に略Ｕ字状に形成され、それと直角方向に等間隔で設けられる複数の係止部と平行一対の横線で形成された接続装置であって、接続装置の係止部を土圧が作用する方向に沿って延びる縦部材と、縦部材に交差して固定される横部材とによって格子状に形成された土留壁と盛土補強材の網目から挿通させ、接続装置の係止部に係止ピンを挿通させ、土留壁と盛土補強材、または盛土補強材同士を接続することを特徴としている。【選択図】図１
2005194748.tif 000002
【特許請求の範囲】
【請求項１】
補強土構造体の土留壁と盛土補強材を接続する接続装置であって、
底部が土圧が作用する方向に略Ｕ字状に形成され、それと直角方向に等間隔で設けられる複数の係止部と平行一対の横線で形成された接続装置で、土圧が作用する方向に沿って延びる縦部材と、縦部材に交差して固定される横部材とによって格子状に形成された盛土補強材と土留壁に固定された連結金網の接続端部を上下に重ねた状態で、双方の各網目に接続装置の係止部を挿通させて、接続装置の各係止部に係止ピンを挿通させて土留壁と盛土補強材を接続せしめるようにしたことを特徴とする接続装置。
【発明の詳細な説明】
【技術分野】
【０００１】
本発明は、盛土法面が崩壊することを防止し、安定した法面を形成するために盛土に埋設して用いられる網シート状の盛土補強材と土留壁、網シート状の盛土補強材同士を接続する接続装置に関するものである。
【背景技術】
【０００２】
たとえば道路や鉄道を敷設する場合などに行われる盛土工法では、法面の崩壊を防止するために土留壁体が設けられる。土留壁体にはコンクリート製のパネル壁、格子状鉄筋でできた鋼製枠壁などが用いられており、また、盛土を補強するためには盛土補強材が用いられるが、これらには網シート状の補強材が近年多く用いられている。
【０００３】
図９は、従来の技術であるパネル壁体１３と盛土補強材２０を接続している連結構造の断面図である。パネル壁体１３に網シート状の盛土補強材２０を接続する方法として、パネル壁体１３に埋め込んだコの字状の埋設金物４１に連結金物４２と連結ベルト４３を取り付けてボルトで固定する。接続端部を先にジョイントバー４５で連結し接続用の挿通部を形成せしめた網シート状の盛土補強材２０の網目に連結ベルト４３を挿通し、さらに連結ベルト４３先端の円形の開口部と盛土補強材接続端部の挿通部に単管パイプ４４を挿通させることによりパネル壁体１３と盛土補強材２０が連結される。このような接続箇所が壁面に対して１平方メートルあたり３箇所も存在する。
【特許文献１】特開平６−１８５０４３号公報
【非特許文献１】小川憲保著  「補強土壁工法の種類と選定」理工図書  ２０００年
【発明の開示】
【発明が解決しようとする課題】
【０００４】
解決しようとする問題点は、土留壁と盛土補強材の接続において複数の部材で構成されていることによって、その連結作業に細かな作業を要し、コストがかかるうえに施工手間による施工時間のロスを強いられる。特に、前述のような道路もしくは鉄道を敷設する場合には、広範囲にわたって斜面を補強しなければならず、工事全体の日数が長くなってしまう点である。
【課題を解決するための手段】
【０００５】
土中に埋設して斜面を補強するために用いられる盛土補強材を、容易に低コストで連結せしめる接続装置を提供することである。
【発明の効果】
【０００６】
本発明の補強土構造体の接続装置は、底部が土圧が作用する方向に略Ｕ字状に形成され、それと直角方向に等間隔で設けられる複数の係止部と平行一対の横線で形成された接続装置で、土圧が作用する方向に沿って延びる縦部材と、縦部材に交差して固定される横部材とによって格子状に形成された盛土補強材と土留壁に固定された連結金網の接続端部を上下に重ねた状態で、双方の各網目に接続装置の係止部を挿通させて、接続装置の各係止部に係止ピンを挿通させて土留壁と盛土補強材を接続せしめることにより、土留壁と盛土補強材が容易に低コストで接続できるという利点がある。
【発明を実施するための最良の形態】
【０００７】
土留壁に埋設され接続端部が土留壁背面から突出された連結金網と盛土に埋設された盛土補強材を接続するという目的、および盛土補強材同士を接続するという目的を、本発明の接続装置を用いることによって最小の部材点数で容易に接続せしめることに実現した。
【実施例１】
【０００８】
以下、本発明の実施例を図面に基づいて説明する。
図２は壁面がパネル形式１３の補強土構造体１０の内部構造を示す斜視図である。補強土構造体１０は、土留壁１１と、背面盛土１２と、盛土補強材２０によって構成され、補強土構造体１０は、たとえば道路や鉄道を敷設するにあたって斜面が崩れ落ちて崩壊することを防止し、安定した法面を形成するために構築される。このような補強土構造体１０は、土留壁１１と盛土補強材２０が一体化することで土留壁１１に作用する土圧により土留壁１１が前へ倒れようとする力を盛土補強材２０の引抜抵抗力により抗していることから、土留壁１１と盛土補強材２０の接続がもっとも重要とされている。
【０００９】
この接続に発明された接続装置３０を用いる事によって、容易に、かつ迅速に、低コストで確実に接続できることに実現した。また、この接続装置を用いる事により網シート状の補強材２０同士の接続にも適用できる。
【００１０】
図３は本発明装置の１実施例であって、コンクリート製のパネル壁１３と網シート状の盛土補強材２０の連結部を示す断面図である。一般には土留壁１１を壁面パネル１３とした場合には支圧アンカーや鋼製ストリップなどの盛土補強材が従来から多く用いられてきたが、近年では低コストな工法が求められている事から網シート状の盛土補強材２０が使用されるケースが増えてきた。
【００１１】
図４は連結金網２１の一端がパネル壁１３に埋め込まれ、パネル壁背面からマット状に突出している状態を示す平面図である。パネル壁１３の背面から突出された連結金網２１は、土圧が作用する方向に沿って延びる縦部材２６と、縦部材に交差して固定される横部材２７とによって格子状に形成されている。
【００１２】
図５は、網シート状の盛土補強材２０の一部を示す平面図である。盛土補強材２０は、一方向に延びる縦材２４と縦材とは異なる方向に延びる横材２５により形成され、可撓性を有し、たとえばポリエチレンから成る。
【００１３】
図１は接続装置３０を示す斜視図である。溶接金網を略Ｕ字状に曲げ加工しただけの装置であり、表面には腐食を防止するための電気亜鉛メッキや溶融亜鉛メッキ処理が施されている。網シート状の盛土補強材２０は縦材２４の間隔が密なうえに網目が狭い欠点がある。盛土補強材２０の網目に接続装置３０の係止部３１を挿通させるには精度が重要であることから、接続装置３０を溶接金網としたものである。
【００１４】
次に、本発明の接続装置３０を用いた接続方法について図３を参照しつつ説明する。
建てつけられたパネル壁１３の背面に突出されている連結金網２１の接続端部の上方に網シート状の盛土補強材２０の接続端部を重ね合わせ、各々の部材の網目に下方もしくは上方から接続装置３０の係止部３１を挿通させ、この係止部３１に棒状の係止ピン３４を接続装置の両端のどちらか一方の開放端部から挿通させる。すなわち、接続装置３０と係止ピン３４の協働によって各々の接続端部同士をかんぬき状に狭持して接続せしめるものである。
【００１５】
図７の実施例は格子状鉄筋グリッドを略Ｌ字状に形成した土留壁を用いた接続部の断面図を示す。
このような土留壁は壁面を緑化できることから近年多く用いられ、前述のパネル壁の連結構造で用いた連結金具２１と同じ格子状鉄筋で形成された土留壁であることから、網シート状の盛土補強材２０との接続の方法は同じように行えばよい。
【００１６】
図８の実施例は網シート状の盛土補強材２０同士の接続方法を示す断面図である。
大規模な造成にともなう盛土補強工事では、定尺のロールだけでは不足し、別ロールを継ぎ足しながら補強材を所定の設計長さに敷設する必要がある。この種の現場では補強材２０同士の接続が多く発生することから、接続の手間が容易な方法が望まれる。図８に示すように、網シート状の盛土補強材２０の接続端部同士を上下に重ね合わせ、下方もしくは上方から盛土補強材２０の網目に接続装置３０の係止部３１を挿通させ、この係止部３１に棒状の係止ピン３４を接続装置の両端のどちらか一方の開放端部から挿通させることで盛土補強材２０同士の接続が可能となる。
【産業上の利用可能性】
【００１７】
補強土構造体の盛土補強に網シート状の盛土補強材を用いる場合には、該盛土補強材と土留壁との連結は必要不可欠である。連結せしめるためには何がしかの接続装置を介する必要があり、本発明の接続装置が適用できる。さらには盛土補強材同士の接続においても適用できる。
【図面の簡単な説明】
【００１８】
【図１】接続装置を示す斜視図である。
【図２】壁面がパネル形式の補強土構造体の内部構造を示す斜視図である。
【図３】パネル壁と盛土補強材の接続を示す断面図である。（実施例１）
【図４】パネル壁と連結金網を示す平面図である。
【図５】網シート状の盛土補強材の一部を示す平面図である。
【図６】連結ピンを示す斜視図である。
【図７】格子状鉄筋グリッド形式の土留壁と盛土補強材の接続を示す断面図である。（実施例２）
【図８】盛土補強材同士の接続を示す断面図である。（実施例３）
【図９】従来のパネル壁と盛土補強材の接続を示す断面図である。
【符号の説明】
【００１９】
１０    補強土構造体
１１    土留壁
１２    背面盛土
１３    パネル壁
２０    網シート状の補強材
２１    連結金網
２２    格子状鉄筋グリッド土留壁
２４    補強材の縦部材
２５    補強材の横部材
２６    連結金網の縦部材
２７    連結金網の横部材
２８    格子状鉄筋グリッド土留壁の縦部材
２９    格子状鉄筋グリッド土留壁の横部材
３０    接続装置
３１    接続装置の係止部
３２    接続装置の横線
３４    係止ピン
４１    コの字状の埋設金物
４２    連結金物
４３    連結ベルト
４４    単管パイプ
４５    ジョイントバー
【図１】
2005194748.tif 000003
【図２】
2005194748.tif 000004
【図３】
2005194748.tif 000005
【図４】
2005194748.tif 000006
【図５】
2005194748.tif 000007
【図６】
2005194748.tif 000008
【図７】
2005194748.tif 000009
【図８】
2005194748.tif 000010
【図９】
2005194748.tif 000011